(57)【要約】      （修正有）【課題】ピッキングに対抗するため錠前の鍵穴を閉塞することができ且つ該装置の装着と解除を容易に行える錠前閉塞装置を提供する。【解決手段】鍵前の内部構造に当接して滑ることのできる滑り面を設けられた長尺の部位である第一挿入部１１を有する第一閉塞体１０と、鍵前の内部構造に係合するロック面１３を設けられた長尺の部位である第二挿入部２１を有する第二閉塞体２０と、前記第一挿入部と前記第二挿入部との少なくとも一方を前記長手方向に往復動させることをできる端部機構と、を備え、第一挿入部または第二挿入部の一方が第一挿入部または第二挿入部の他方を前記長手方向に摺動自在に案内するガイドＧを有し、互いの長手方向を揃えて鍵穴に挿入された第一挿入部と第二挿入部との少なくとも一方が前記長手方向に動くと前記滑り面が内部構造に当接して滑り前記ロック面の内部構造に対する係合を解除する。【選択図】図１
0003151415.tif 000002
【実用新案登録請求の範囲】
【請求項１】
錠前の鍵穴を閉塞することのできる錠前閉塞装置１であって、
鍵穴に挿入されて鍵前の内部構造であるタンブラーピン３に係合してロックできるロック面１３が設けられた長尺の部位である第一挿入部１１を持った板状の第一閉塞体１０に、第一挿入部１１の中央長手方向に貫通孔になっているガイドＧを設けて、ガイドＧの貫通孔の長手方向に向かって、一片に折り下げ面１６ａを設けて、その先端には折り下げ面１６ｂを設けて第一挿入部１１は貫通孔を挟んで板の厚み分の折り下げた分だけ配置がずれたロック面１３を設け、ロック面１３とタンブラーピン３の係合部の逆方位側に、先端が矢印状になった第一挿入ヘッド１４が備わっていて、第一挿入部１１のロック面１３の正方位側には、第一挿入部１１に対して直角方向に楕円状の第一回動孔１５を設けた従動部１２を備えてなる第一閉塞体１０と、鍵穴に挿入されて錠前の内部構造であるタンブラーピン３に当接する滑り面２３を設けた長尺の部位である第二挿入部２１を備えた板状の第二閉塞体２０に、長手方向の第二挿入部２１の直角方向に折り上げ面２６ａを持たせて、第二挿入部２１の第二挿入ヘッド２４を二股状に設けて、第二挿入部２１は前記第一閉塞体１０の貫通孔のガイドＧに沿って、長手方向に揃えてクロス状に嵌合し、第二挿入部２１の片端には第二回動孔２５を備えた第二閉塞体支持部２２が備わり、前記第一閉塞体１０を隙間１２ｄ分だけ第一挿入ヘッド１４方向に摺動させたとき、第一挿入部１１のロック面１３が隠れ、ロックが解除され、変わりに第二挿入部２１の前記滑り面２３が表れて、第二閉塞体２０を第一閉塞体１０と共に引き抜くことができることを特徴とする錠前閉塞装置。
【請求項２】
前記第一閉塞体１０の第一挿入部１１と第二閉塞体２０の第二挿入部２１は貫通孔のガイドＧでクロス状に嵌合し、互いの摺動面は平面状で一体に形成されて平坦な一枚板状に嵌合していることを特徴とする請求項１に記載の錠前閉塞装置。
【請求項３】
前記第二閉塞体２０を第二閉塞体支持部２２の第二回動孔２５と、カムディスク３０の第二カム３２を介して同心円上に装置用錠前４０に固定させ、第一閉塞体１０が楕円状の第一回動孔１５を第一カム３１で隙間１２ｄ分だけロック面１３を移動させて、第二閉塞体２０の滑り面２３の後ろ側に隠すことを特徴とする請求項１及び請求項２に記載の錠前閉塞装置。
【考案の詳細な説明】
【考案の詳細な説明】
【技術分野】
【０００１】  本考案は、錠前の鍵穴を閉塞することのできる錠前閉塞装置に係る。特に、ピッキング防止に好適な構造を有する錠前閉塞装置に関する。
【背景技術】
【０００２】  近年、施錠装置の不正解錠事件が多数発生している。従来の施錠装置は、通常のピッキングツール等によって容易に解錠できる。不正解錠を防止するには、既存の施錠装置を新たな形式の施錠放置に交換するか、既存の錠前に加えて新たな錠前を装着していわゆるワンドアツーロックにするのが効果的である。【０００３】  しかし、既存の錠前の交換は容易でなく、新たに錠前を設置することが困難な場合がある。例えば、ユーザが自動車や自動二輪車に設けられた錠前を新たな形式の錠前に交換することは事実上不可能である。【０００４】
【特許文献１】  登録実用新案公報第３００８４０７号
【特許文献２】  実開２００２−２０１８３１号公報
【特許文献３】  登録実用新案公報第３０９０４８３号
【特許文献４】  登録実用新案公報第３０９３３３２号
【考案の開示】
【考案が解決しようとする課題】
【０００５】  本考案は以上に述べた問題点に鑑み案出されたもので、ピッキングに対抗するため錠前の鍵穴を閉塞することのできる錠前閉塞装置を提供しようとする。
【課題を解決するための手段】
【０００６】  請求項１に記載の本考案は、
錠前の鍵穴を閉塞することのできる錠前閉塞装置１であって、
鍵穴に挿入されて鍵前の内部構造であるタンブラーピン３に係合してロックできるロック面１３が設けられた長尺の部位である第一挿入部１１を持った板状の第一閉塞体１０に、第一挿入部１１の中央長手方向に貫通孔になっているガイドＧを設けて、ガイドＧの貫通孔の長手方向に向かって、一片に折り下げ面１６ａを設けて、その先端には折り下げ面１６ｂを設けて第一挿入部１１は貫通孔を挟んで板の厚み分の折り下げた分だけ配置がずれたロック面１３を設け、ロック面１３とタンブラーピン３の係合部の逆方位側に、先端が矢印状になった第一挿入ヘッド１４が備わっていて、第一挿入部１１のロック面１３の正方位側には、第一挿入部１１に対して直角方向に楕円状の第一回動孔１５を設けた従動部１２を備えてなる第一閉塞体１０と、鍵穴に挿入されて錠前の内部構造であるタンブラーピン３に当接する滑り面２３を設けた長尺の部位である第二挿入部２１を備えた板状の第二閉塞体２０に、長手方向の第二挿入部２１の直角方向に折り上げ面２６ａを持たせて、第二挿入部２１の第二挿入ヘッド２４を二股状に設けて、第二挿入部２１は前記第一閉塞体１０の貫通孔のガイドＧに沿って、長手方向に揃えてクロス状に嵌合し、第二挿入部２１の片端には第二回動孔２５を備えた第二閉塞体支持部２２が備わり、前記第一閉塞体１０を隙間１２ｄ分だけ第一挿入ヘッド１４方向に摺動させたとき、第一挿入部１１のロック面１３が隠れ、ロックが解除され、変わりに第二挿入部２１の前記滑り面２３が表れて、第二閉塞体２０を第一閉塞体１０と共に引き抜くことができることを特徴とする錠前閉塞装置である。【０００７】  請求項２に記載の本考案は、前記第一閉塞体１０の第一挿入部１１と第二閉塞体２０の第二挿入部２１は貫通孔のガイドＧでクロス状に嵌合し、互いの摺動面は平面状で一体に形成されて平坦な一枚板状に嵌合していることを特徴とする請求項１に記載の錠前閉塞装置である。【０００８】  請求項３に記載の本考案は、
前記第二閉塞体２０を第二閉塞体支持部２２の第二回動孔２５と、カムディスク３０の第二カム３２を介して同心円上に装置用錠前４０に固定させ、第一閉塞体１０が楕円状の第一回動孔１５を第一カム３１で隙間１２ｄ分だけロック面１３を移動させて、第二閉塞体２０の滑り面２３の後ろ側に隠すことを特徴とする請求項１及び請求項２に記載の錠前閉塞装置である。【０００９】  上記考案の構成により、第二閉塞体の第二挿入部が鍵穴に挿入されて鍵前の内部構造に当接して滑ることのできる滑り面を設けられた長尺の部位であり、第一閉塞体の第一挿入部が鍵穴に挿入されて鍵前の内部構造に係合するロック面を設けられた長尺の部位であり、端部機構が互いの長手方向を揃えた前記第一挿入部と前記第二挿入部を長手方向に往復動させることができ、互いの長手方向を揃えて鍵穴に挿入された第一挿入部と第二挿入部の第一閉塞体１０が前記長手方向に隙間１２ｄ分だけ動くと、第一挿入部１１ロック面の突起が、第二挿入部２１の滑り面２３の後ろ側に隠れて、タンブラーピン３は動かすことなくロックは消滅してしまうので、鍵穴に挿入された前記端部機構の内部構造に対する係合が解除されて、第一挿入部と第二挿入部とを引き抜くことにより、タンブラーピン３は滑り面２３を自分から滑りあがってしまうため、鍵穴から抜くことができる。
第一閉塞体と第二閉塞体とを錠前に挿入すると前記ロック面が鍵穴の内部構造に係合して第一挿入部と第二挿入部とが鍵穴を閉塞でき、第一挿入部または第二挿入部の一方が第一挿入部または第二挿入部の他方を前記長手方向に摺動自在に案内するガイドを有するので、前記ガイドの案内面が第一挿入部と第二挿入部との長手方向に交差する方向の相対的移動を拘束し、第一挿入部と第二挿入部との全体の剛性が向上する。【００１０】  さらに、本考案に係る実施形態の錠前閉塞装置は、前記ガイドが第一挿入部または第二挿入部の一方に設けられ前記長手方向に延びた貫通孔であって、第一挿入部または第二挿入部の他方の前記長手方向に延びた部位が前記貫通孔に嵌合している。
上記本考案の構成により、第一挿入部または第二挿入部の他方の前記長手方向に延びた部位が第一挿入部または第二挿入部の一方に設けられ前記長手方向に延びた貫通孔に嵌合するので、前記第一挿入部と前記第二挿入部との全体の剛性が向上する。【００１１】  さらに、本考案に係る実施形態の錠前閉塞装置は、前記第一挿入部と前記第二挿入部とが前記長手方向に交差する方向に分解不能になっている。
上記本考案の構成により、前記第一挿入部と前記第二挿入部とが前記長手方向に交差する方向に分解不能になっているので、前記第一挿入部と前記第二挿入部との全体の剛性がより向上する。
【考案の効果】
【００１２】  以上説明したように本考案の錠前閉塞装置は、その構成により、以下の効果を有する。
鍵穴に挿入できる長尺の部位である第二挿入部に内部構造に当接して滑ることのできる滑り面を設け、鍵穴に挿入できる長尺の部位である第一挿入部に内部構造に係合できるロック面を設け、第一挿入部を前記長手方向に隙間１２ｄ分だけ移動させることができる端部機構を設け、互いの長手方向を揃えて鍵穴に挿入された第一挿入部の一方が前記長手方向に隙間１２ｄ分だけ動くと前記滑り面が内部構造に表れ、滑り内部構造に対する前記ロック面の係合を解除する様にしたので、互いの長手方向を揃えた第一閉塞体と第二閉塞体とを錠前に挿入すると前記ロック面が鍵穴の内部構造に係合して第一挿入部と第二挿入部とが鍵穴を閉塞でき、前記端部機構が鍵穴に挿入された第一挿入部を長手方向へ隙間１２ｄ分だけ動かすと前記ロック面の内部構造に対する係合が解除されて第一挿入部と第二挿入部とを鍵穴から抜くことができる。【００１３】  また、第一挿入部または第二挿入部の他方の前記長手方向に延びた部位が第一挿入部または第二挿入部の一方に設けられ前記長手方向に延びた貫通孔に嵌合するので、前記第一挿入部と前記第二挿入部との全体の剛性が向上する。
また、前記第一挿入部と前記第二挿入部とが前記長手方向に交差する方向に分解不能になっているので、前記第一挿入部と前記第二挿入部との全体の剛性がより向上する。
従って、ピッキングに対抗するため錠前の鍵穴を閉塞することのできる錠前閉塞装置を提供できる。
【考案を実施するための最良の形態】
【００１４】  以下、本考案を実施するための最良の形態を、図面を参照して説明する。なお、各図において、共通する部分には同一の符号を付し、重複した説明を省略する。【００１５】  最初に、本考案の実施形態に係る錠前閉塞装置の全体を説明する。図１は、本考案の実施形態に係る錠前閉塞装置の作動説明図である。図２は、本考案の実施形態に係る錠前閉塞装置の説明図である。図３は、本考案の実施形態に係る錠前閉塞装置の駆動のための参考分解説明図である。図４は、本考案の実施形態に係る錠前閉塞装置の組立実施斜視図である。【００１６】  鍵穴閉鎖装置１は、錠前２の鍵穴を閉塞することのできる装置であり、第一閉塞体１０と第二閉塞体２０と端部機構とで構成される。
説明の容易のために、錠前の鍵穴の奥方向を前方、反対方向を後方として説明する。【００１７】  第一閉塞体１０は、後述する第二閉塞体２０と一体となって一部の部位を鍵孔に挿入される部材であって、第一挿入部１１と第一従動部１２とで構成される。
第一挿入部１１は、鍵穴に挿入されて既存の鍵前２の内部構造３に当接してロックすることのできるロック面１３と尖った先端部である第一挿入ヘッド１４とを設けられた長尺の部位である。【００１８】  第一挿入部１１は板状の長尺の部位であり、板状の部位の縁に設けられた切り欠き部がロック面１３を形成する。ロック面１３は、長手方向に対して所定の角度で尖っていて前方に向いたロック面１３である。所定の角度は、第一挿入部１１の材質と内部構造の材質の摩擦角より大きな角度である。複数のロック面１３が設けられていてもよい。
第一従動部１２は、第一挿入部１１の後端部に繋がった部位であり、後述する端部機構に連結する。
図２は、第一回動孔１５が第一従動部１２に設けられ、第一回動孔１５が端部機構に連結しているのを示している。例えば、第一従動部１２は、略矩形の板状の部位であり、第一回動孔１５は、楕円形の打ち抜き孔である。【００１９】  第二閉塞体２０は、前述した第一閉塞体１０と一体となって一部の部位を鍵孔に挿入される部材であって、第二挿入部２１と第二閉塞体支持部２２とで構成される。
第二挿入部２１は、鍵穴に挿入されて既存の鍵前２の内部構造３を該閉塞体を引き抜くときに滑らせる滑り面２３と、尖った先端部である第二挿入ヘッド２４とを設けられた長尺の部位である。
例えば、第二挿入部２１は板状の長尺の部位である。板状の部位の縁に設けられた切り欠き部が滑り面２３を形成する。滑り面２３は、長手方向に対して台形に近い角度で前方及び後方に向いた面である。第一挿入部１１の材質と内部構造の材質の摩擦角より小さい角度である。複数の滑り面２３が、設けられていてもよい。【００２０】  第二従動部２２は、第二挿入部２１の後端部に繋がった部位であり、後述する端部機構に連結する。
図３は、第二回動孔２５が第二従動部２２に設けられ、第二回動孔２５が端部機構に連結しているのを示している。例えば、第二従動部２２は、略矩形の板状の部位である、第二回動孔は、真円の打ち抜き孔である。【００２１】  第一挿入部は第二挿入部が第一挿入部の他方を前記長手方向に摺動自在に案内する貫通孔のガイドを有する。【００２２】  第一挿入部１１と第二挿入部２１とは、互いの長手方向を揃えて、鍵穴に挿入することができる。第一挿入部１１は、第二挿入部２１面で長手方向に相対的に隙間１２ｄ分だけ往復動できる。
第一挿入部１１と第二挿入部２１とが錠孔の中を前方へ進むと、第一挿入ヘッド１４と第二挿入ヘッド２４とが錠前の内部構造に当接して滑りながら、錠孔に入って行く。
第一挿入部１１と第二挿入部２１とを完全に鍵穴に挿入すると、第一挿入部１１のロック面１３が内部構造に係合できる。滑り面２３が内部構造に係合し、第一挿入部１１と第二挿入部２１とを鍵穴から引き抜ことができない。【００２３】  第二挿入部２１を基準にして第一挿入部１１を長手方向の隙間１２ｄの後方へ移動させた状態で、第一挿入部１１と第二挿入部２１とを完全に鍵穴２へ挿入すると、第一挿入部１１の滑り面２３が内部構造に係合し、第一挿入部１１と第二挿入部２１とを鍵穴から引き抜ことができない。
例えば、錠前がピンタンブラー式である場合、ロック面１３が鍵穴に突出したタンブラーピンの側面に係合する。【００２４】  互いの長手方向を揃えて鍵穴に挿入された第一挿入部１１と第二挿入部２１との一方の第一挿入部１１が長手方向前方に隙間１２ｄ分の距離だけ動くと、滑り面２３がロック面１３を隠すよう表れてタンブラーピン３はそのまま動かずに係合を解除する。
例えば、第二挿入部２１を基準にして第一挿入部１１を長手方向の隙間１２ｄ分の距離を前方にへ移動させると、滑り面２３がタンブラーピン３は動かさずにロック面１３を隠すように表れて、ロックフリーの状態になるため、この状態で第一閉塞体１０と第二閉塞体２０とを引っ張ると、タンブラーピン３は該装置を引き抜く力で自ずから滑り面２３を滑って上方にはね上がり、第一挿入部１１と第二挿入部２１とが鍵穴から抜ける。【００２５】  端部機構は、互いの長手方向を揃えた前記第一挿入部と前記第二挿入部との少なくとも一方を前記長手方向に往復動させることができる機構である。
例えば、端部機構は、カムディスク３０と装置用錠前４０とケーシング４１と鍵２と装置用錠前シリンダ４２とケース６０とで構成される。【００２６】  カムディスク３０は、第一回動孔１５と第二回動孔２５とに嵌合して、第一従動部１２を長手方向に往復動させる機械要素である。
カムディスク３０は、第一カム３１と第二カム３２とで構成される。
装置用錠前シリンダ４２の後端に連結して回転される部材であり、第一カム３１と第二カム３２とが固着している。
第一カム３１は、円形の突起部であり、円の中心がカムディスク３０の回転中心から偏心している。
第二カム３２は、第一カム３１の突起部より小さな円形の突起部であり、円の中心がカムディスク３０の回転中心に一致する。【００２７】  カムディスク３０が回転すると、第二挿入部２１を固定し、第一従動部１２の第一回動孔１５を介して第一挿入部１１を長手方向に隙間１２ｄ分のだけ往復動させる。
隙間１２ｄは、ストッパ４６と回転エンド４７の距離に相関する。【００２８】  装置用錠前４０は、鍵２によりカムディスク３０を回転させる機械要素であり、ケーシング４１と装置用錠前シリンダ４２とで構成される。
装置用錠前シリンダ４２は、ケーシング４１に支持されて回転可能な錠前である。合致する鍵２を挿入すると、装置用錠前シリンダ４２を回転させることができる。【００２９】  ケース６０は、カムディスク３０を装置用錠前シリンダ４２の後端に固定する部材でもあり、ストッパ４６とで構成される。ストッパ４６がカムディスク３０を押さえる部材である。装置用錠前４０は装置用錠前シリンダ４２の装置用錠前カム４３がカムディスク３０のカム孔４４に嵌合され、カムディスク３０の第一カム３１は第一回動孔１５と第二カム３２は第二回動孔２５と回動可能に当接し連動する。
ケース６０は、錠前閉塞装置１の全体を覆うものであり、装置用錠前４０とカムディスク３０と第一閉塞体１０と第二閉塞体２０とで構成される。【００３０】  次に、本考案の実施形態に係る第一閉塞体と第二閉塞体とを説明する。
ガイドＧが第一挿入部１１または第二挿入部２１の一方に設けられ長手方向に延びた貫通孔であって、第一挿入部１１、または第二挿入部２１の他方の長手方向に延びた部位が前記貫通孔に嵌合している。
また、第一挿入部１１が長尺の板状の部位であり、第二挿入部２１が長尺の板状の部位であり、長手方向に平行な視線から見て第一挿入部１１と第二挿入部２１とが貫通孔のガイドＧの位置を交差点として交差しているのが好ましい。【００３１】  さらに、第一挿入部１１と第二挿入部２１とが、板厚方向に互いの面を当接して重なっているのが好ましい。
特に、第一挿入部１１と第二挿入部２１が長手方向に交差する方向に分離不能になっているのが好ましい。
また特に、鍵穴の長手方向に直交する断面形状は、組み合わせたとき平面状の一枚の板状になる。第一閉塞体１０と第二閉塞体２０とを平面状に重ね合わせることで、片面キーの鍵穴でも両面キーの鍵穴でもどちらにおいても一体として鍵穴に容易に挿入できる。【００３２】  １個の第一閉塞体１０と１個の第二閉塞体２０とが組合わされる。
図２、本考案の第１の実施形態に係る閉塞体の説明図である。図２において、左上には個別になった第一閉塞体１０と第二閉塞体２０とを、右上にはその嵌合させた第一閉塞体１０と第二閉塞体２０の斜視図を、左下には長手方向を揃えて一体となった第一閉塞体１０と第二閉塞体２０とを、右下にはそのＡ−Ａ断面図を、示す。
【図面の簡単な説明】
【００３３】
【図１】  本考案の実施形態に係る第一、第二閉塞体の作動説明図である。
【図２】  本考案の実施形態に係る第一、第二閉塞体の説明図である。
【図３】  本考案の実施形態に係る、錠前閉塞装置１の駆動のための参考分解説明図である。
【図４】  本考案の実施形態に係る錠前閉塞装置の組立実施斜視図である。
【符号の説明】
【００３４】１  錠前閉塞装置
２  鍵
３  タンブラーピン
１０  第一閉塞体
１１  第一挿入部
１２  従動部
１２ｄ  隙間
１３  ロック面
１４  第一挿入ヘッド
１５  第一回動孔
１６ａ，１６ｂ  折り下げ面
１６ｃ  折り下げ面裏側
【００３５】２０  第二閉塞体
２１  第二挿入部
２２  第二閉塞体支持部
２３  滑り面
２４  第二挿入ヘッド
２５  第二回動孔
２６ａ  折り上げ面
２６ｂ  折り上げ面裏側
【００３６】３０  カムディスク
３１  第一カム
３２  第二カム
４０  装置用錠前
４１  ケーシング
４２  装置用錠前シリンダ
４３  装置用錠前カム
４４  カム孔
４５  装置用鍵孔
４６  ストッパ
４７  回転エンド
６０  ケース
Ｇ  ガイド
【図１】
0003151415.tif 000003
【図２】
0003151415.tif 000004
【図３】
0003151415.tif 000005
【図４】
0003151415.tif 000006
【手続補正書】
【提出日】平成21年3月24日(2009.3.24)
【手続補正１】
【補正対象書類名】実用新案登録請求の範囲
【補正対象項目名】請求項３
【補正方法】変更
【補正の内容】
【請求項３】
前記第二閉塞体２０を第二閉塞体支持部２２の第二回動孔２５と、カムディスク３０の第二カム３２を介して同心円上に装置用錠前４０に固定させ、第一閉塞体１０が楕円状の第一回動孔１５を第一カム３１で隙間１２ｄ分だけロック面１３を移動させて、第二閉塞体２０の滑り面２３の後ろ側に隠すことを特徴とする請求項１または請求項２に記載の錠前閉塞装置。
【手続補正２】
【補正対象書類名】明細書
【補正対象項目名】０００８
【補正方法】変更
【補正の内容】
【０００８】  請求項３に記載の本考案は、
前記第二閉塞体２０を第二閉塞体支持部２２の第二回動孔２５と、カムディスク３０の第二カム３２を介して同心円上に装置用錠前４０に固定させ、第一閉塞体１０が楕円状の第一回動孔１５を第一カム３１で隙間１２ｄ分だけロック面１３を移動させて、第二閉塞体２０の滑り面２３の後ろ側に隠すことを特徴とする請求項１または請求項２に記載の錠前閉塞装置である。